(57)【要約】【課題】ワイヤロープを損傷させることなく、ワイヤロープの交差部が安定して保持固定されるようにする。【解決手段】ワイヤロープ１１，１２の交差部は、同形状の受け座金１６と押さえ座金１７とによって両面側から挟み付けられる。受け座金１６には、第１のロープ溝２６と第２のロープ溝２８とが設けられている。また、押さえ座金１７にも、同様に第１のロープ溝２９と第２のロープ溝３１とが設けられている。ワイヤロープ１１，１２の交差部を間に挟んで受け座金１６に押さえ座金１７を重ね合わせると、ワイヤロープ１１は受け座金１６の第１のロープ溝２６と押さえ座金１７の第２のロープ溝３１との間で挟み付けられ、ワイヤロープ１２は押さえ座金１７の第１のロープ溝２９と受け座金１６の第２のロープ溝２８との間で挟み付けられる。第１のロープ溝２６，２９には、その内側面から突出する突出部２６ａ，２９ａが設けられ、ワイヤロープ１１，１２が交差位置において各２本のストランドｓ，ｓを介して互いに接触するようにされている。【選択図】        図５
2005030039.tif 000002
【特許請求の範囲】
【請求項１】
互いに交差する２本のワイヤロープ（１１，１２）を、その交差部において相互に固定するためのワイヤロープ締結金具（１４，１５）であって、
連結用孔部（１８，１９；３７，３８）を有し、その連結用孔部（１８，１９；３７，３８）を利用して互いに締め付けることにより前記ワイヤロープ（１１，１２）の交差部を両面側から挟み付ける受け座金（１６，３５）と押さえ座金（１７，３６）とからなり、
それら受け座金（１６，３５）及び押さえ座金（１７，３６）の互いに対向する面（１６ａ，１７ａ；３５ａ，３６ａ）に、それぞれ前記ワイヤロープ（１１，１２）の一方（１１あるいは１２）を通す第１のロープ溝（２６，２９；４４，４６）が設けられるとともに、そのロープ溝（２６，２９；４４，４６）の長手方向中央部に、その内側面から突出する突出部（２６ａ，２９ａ；４４ａ，４６ａ）が設けられていることを特徴とする、ワイヤロープ締結金具。
【請求項２】
前記受け座金（１６）及び押さえ座金（１７）の各対向面（１６ａ，１７ａ）に、それら受け座金（１６）及び押さえ座金（１７）の他方に向かって突出する突起部（２７，３０）が設けられていることを特徴とする、請求項１記載のワイヤロープ締結金具。
【請求項３】
前記受け座金（１６）の突起部（２７）と押さえ座金（１７）の突起部（３０）とが互いに係合するようにされていることを特徴とする、請求項２記載のワイヤロープ締結金具。
【請求項４】
前記突起部（２７，３０）の表面に、前記ワイヤロープ（１１，１２）の他方（１２あるいは１１）を通す第２のロープ溝（２８，３１）が設けられていることを特徴とする、請求項２又は３記載のワイヤロープ締結金具。
【請求項５】
前記連結用孔部（１８，１９）が前記受け座金（１６）及び押さえ座金（１７）の一端部に設けられるとともに、その反対側端部に、アンカーボルト（２４）挿通用の孔部（２０，２１）が設けられていることを特徴とする、請求項１ないし４のいずれか記載のワイヤロープ締結金具。
【請求項６】
前記受け座金（１６）及び押さえ座金（１７）が互いに同一形状であることを特徴とする、請求項１ないし５のいずれか記載のワイヤロープ締結金具。
【請求項７】
前記連結用孔部（３７，３８）が前記受け座金（３５）及び押さえ座金（３６）の一端部に設けられるとともに、その反対側端部に、それら受け座金（３５）及び押さえ座金（３６）を互いに係合させる係合部（３９，４０）が設けられていることを特徴とする、請求項１記載のワイヤロープ締結金具。
【請求項８】
前記受け座金（３５）と押さえ座金（３６）とのいずれか一方（３５）に、前記ワイヤロープ（１１，１２）の他方（１２）を通す第２のロープ溝（４５）が、前記第１のロープ溝（４４）に対して段差を持って交差状に設けられるとともに、前記受け座金（３５）と押さえ座金（３６）との他方（３６）に、前記第１のロープ溝（４４）に挿入される突起（４７）が設けられていることを特徴とする、請求項７記載のワイヤロープ締結金具。
【請求項９】
前記受け座金（１６，３５）と押さえ座金（１７，３６）とが、前記連結用孔部（１８，１９；３７，３８）に挿通される六角ボルト（３２，４１）とそのボルト（３２，４１）に螺合される六角ナット（２３）とによって互いに締め付けられるようにされており、前記受け座金（１６，３５）及び押さえ座金（１７，３６）の少なくとも一方の外表面（１６ｂ，１７ｂ；３５ｂ）の、前記連結用孔部（１８，１９；３７，３８）の周囲に、前記六角ボルト（３２，４１）あるいは六角ナット（２３）と係合する六角溝（３３，４３）が形成されていることを特徴とする、請求項１ないし８のいずれか記載のワイヤロープ締結金具。
【請求項１０】
前記受け座金（１６，３５）と押さえ座金（１７，３６）とが、前記連結用孔部（１８，１９；３７，３８）に挿通される段付きボルト（２２）とそのボルト（２２）に螺合される六角ナット（２３）とによって互いに締め付けられるようにされており、前記段付きボルト（２２）の頭部（２２ａ）とねじ部（２２ｂ）との間の段部（２２ｃ）が面取りされるとともに、前記連結用孔部（１８，１９；３７，３８）が、前記段付きボルト（２２）の段部（２２ｃ）が嵌合する形状に形成されていることを特徴とする、請求項１ないし８のいずれか記載のワイヤロープ締結金具。
【発明の詳細な説明】
【０００１】
【発明の属する技術分野】
本発明は、交差する２本のワイヤロープを、その交差部において相互に固定するためのワイヤロープ締結金具に関するものである。
【０００２】
【従来の技術】
例えば、浮き石が点在する斜面では、落石を防止するために、多数のワイヤロープを縦横に張り巡らし、浮き石を押さえ込む、という落石防止工法が施工されることがある。その場合、縦横のワイヤロープは、その交差部において相互に固定される。
【０００３】
そのように交差するワイヤロープをその交差部において固定するためのワイヤロープ締結金具としては、特許文献１に記載されているようなクロスクリップが知られている。そのクロスクリップは、図１９に示すように、基板０１と、その基板０１に小間隔をおいて取り付けられる一対のＵボルト０２，０２と、そのＵボルト０２に螺合されるナット０３，０３…とからなり、例えば横方向のワイヤロープ０４を一対のＵボルト０２，０２間に配置するとともに、縦方向のワイヤロープ０５を、横方向のワイヤロープ０４上を通りかつＵボルト０２，０２内に挿通されるように配置して、そのワイヤロープ０５をＵボルト０２，０２により締め付けるようにしたものである。
【０００４】
また、上述のような落石防止工法においては、各ワイヤロープを、その交差部において相互に固定するのみでなく、その交差部を地面に固定することも必要となる。そのように各ワイヤロープを交差部において相互に固定するとともにその交差部を地面に対しても固定するワイヤロープ締結金具としては、特許文献２に記載されているようなクロスアンカークリップが知られている。そのクロスアンカークリップは、両端部に孔部を有する受け座金と押さえ座金とからなり、その受け座金と押さえ座金との間にワイヤロープの交差部を挟んで、一方の孔部にアンカーボルトの上端部を、また、他方の孔部にボルトを挿通させ、それぞれナットにより締め付けるようにしたものである。受け座金及び押さえ座金には、それぞれワイヤロープの一方を通すロープ溝が設けられる。
【０００５】
【特許文献１】
特開２０００−２７１２３号公報（第３ページ、図３）
【特許文献２】
特開２００１−２２６９６１号公報（第５ページ、図１３，１４）
【０００６】
【発明が解決しようとする課題】
しかしながら、特許文献１に示されているようなクロスクリップでは、図１９から明らかなように、上側に配置されるワイヤロープ０５が、Ｕボルト０２，０２によって締め付けられることにより下側のワイヤロープ０４の外周面に沿って強く湾曲するので、ワイヤロープ０５の素線が断線するという問題がある。
【０００７】
一方、特許文献２に示されているようなクロスアンカークリップでは、交差するワイヤロープが板状の受け座金と押さえ座金との間で挟み付けられるのみであるので、ワイヤロープの回転や滑りを防ぐことができず、その交差部の安定した保持固定がなされないという問題がある。ワイヤロープは、張力がかかると撚りが伸びて細くなるので、単にロープ溝を設けるのみでは、ワイヤロープを固定することはできない。ロープ溝を浅くしておいて、受け座金と押さえ座金との締め付け力を強くすればよいが、そのようにすると、ワイヤロープがつぶれて損傷してしまう。
【０００８】
本発明は、上述のような事情に鑑みてなされたもので、ワイヤロープを損傷させることなく、ワイヤロープの交差部を安定して保持固定することのできる、ワイヤロープ締結金具を提供することを目的とするものである。
【０００９】
【課題を解決するための手段】
上記目的を達成するために、本請求項１記載の発明は、連結用孔部を有し、その連結用孔部を利用して互いに締め付けることによりワイヤロープの交差部を両面側から挟み付ける受け座金と押さえ座金とからなり、それら受け座金及び押さえ座金の互いに対向する面に、それぞれ前記ワイヤロープの一方を通す第１のロープ溝が設けられるとともに、そのロープ溝の長手方向中央部に、その内側面から突出する突出部が設けられていることを第１の特徴とする。
【００１０】
かかる第１の特徴によれば、受け座金及び押さえ座金にそれぞれ設けられるロープ溝の内側面に突出部が形成されているので、そのロープ溝に通されるワイヤロープに張力が加えられたとき、ロープ溝の内側面に形成されている突出部がワイヤロープに食い込むようになり、ワイヤロープの撚りが伸びてワイヤロープが細く変形したとしても、そのワイヤロープの回転や滑りが防止され、ワイヤロープが安定して保持固定されるようになる。その結果、ワイヤロープに加える締め付け力を強くする必要がなくなるので、ワイヤロープの損傷を防止することができる。
【００１１】
また、本請求項２記載の発明は、上記第１の特徴に加えて、前記受け座金及び押さえ座金の各対向面に、それら受け座金及び押さえ座金の他方に向かって突出する突起部が設けられていることを第２の特徴とする。
【００１２】
かかる第２の特徴によれば、受け座金と押さえ座金とを互いに締め付けるとき、受け座金及び押さえ座金にそれぞれ設けられている突起部がワイヤロープを押さえ付けるため、ワイヤロープの保持固定が安定する。
他方の座金に当接することによってそれ以上の締め付けが阻止されるので、ワイヤロープ同士の無理な接触が防止され、その損傷が防止される。
【００１３】
さらに、本請求項３記載の発明は、上記第２の特徴に加えて、前記受け座金の突起部と押さえ座金の突起部とが互いに係合するようにされていることを第３の特徴とする。
【００１４】
かかる第３の特徴によれば、受け座金と押さえ座金との相対回転やずれが防止されるので、ワイヤロープ交差部の保持固定がより確実となる。
【００１５】
さらにまた、本請求項４記載の発明は、上記第２あるいは第３の特徴に加えて、前記突起部の表面に、前記ワイヤロープの他方を通す第２のロープ溝が設けられていることを第４の特徴とする。
【００１６】
かかる第４の特徴によれば、交差するワイヤロープのいずれもが、受け座金と押さえ座金との両方によって挟み付けられるようになるので、その保持固定がより安定する。
【００１７】
また、本請求項５記載の発明は、上記第１ないし第４のいずれかの特徴に加えて、前記連結用孔部が前記受け座金及び押さえ座金の一端部に設けられるとともに、その反対側端部に、アンカーボルト挿通用の孔部が設けられていることを第５の特徴とする。
【００１８】
かかる第５の特徴によれば、そのワイヤロープ締結金具をアンカーボルトに取り付けることが可能となるので、ワイヤロープをその交差部において相互に固定するのみでなく、その交差部を地面に対しても固定することが可能となる。
【００１９】
さらに、本請求項６記載の発明は、上記第１ないし第５のいずれかの特徴に加えて、前記受け座金及び押さえ座金が互いに同一形状であることを第６の特徴とする。
【００２０】
かかる第６の特徴によれば、受け座金と押さえ座金とを区別する必要がなくなるので、その製造コストを低減させるとともに、その組み付け作業性を向上させることができる。
【００２１】
そして、本請求項７記載の発明は、前記第１の特徴に加えて、前記連結用孔部が前記受け座金及び押さえ座金の一端部に設けられるとともに、その反対側端部に、それら受け座金及び押さえ座金を互いに係合させる係合部が設けられていることを第７の特徴とする。
【００２２】
かかる第７の特徴によれば、受け座金と押さえ座金とを組み付けるとき、その一方側の端部は単に係合させるのみでよくなるので、その組み付け作業が容易となる。
【００２３】
また、本請求項８記載の発明は、上記第７の特徴に加えて、前記受け座金と押さえ座金とのいずれか一方に、前記ワイヤロープの他方を通す第２のロープ溝が、前記第１のロープ溝に対して段差を持って交差状に設けられるとともに、前記受け座金と押さえ座金との他方に、前記第１のロープ溝に挿入される突起が設けられていることを第８の特徴とする。
【００２４】
かかる第８の特徴によれば、交差するワイヤロープのいずれもが、受け座金と押さえ座金との両方によって挟み付けられるようになるので、各ワイヤロープの保持固定がより安定するとともに、突起と第１のロープ溝との係合によって受け座金と押さえ座金との相対回転やずれが防止されるようになるので、ワイヤロープ交差部の保持固定もより確実となる。
【００２５】
さらに、本請求項９記載の発明は、上記第１ないし第８のいずれかの特徴に加えて、前記受け座金と押さえ座金とが、前記連結用孔部に挿通される六角ボルトとそのボルトに螺合される六角ナットとによって互いに締め付けられるようにされており、前記受け座金及び押さえ座金の少なくとも一方の外表面の、前記連結用孔部の周囲に、前記六角ボルトあるいは六角ナットと係合する六角溝が形成されていることを第９の特徴とする。
【００２６】
かかる第９の特徴によれば、連結用孔部の周囲に設けられる六角溝がボルトあるいはナットの回り止めとなるので、その締め付け作業が容易となる。その場合、締め付けのために回転させるボルト側あるいはナット側には、ワッシャを介在させるようにすればよい。
【００２７】
さらにまた、本請求項１０記載の発明は、上記第１ないし第８のいずれかの特徴に加えて、前記受け座金と押さえ座金とが、前記連結用孔部に挿通される段付きボルトとそのボルトに螺合される六角ナットとによって互いに締め付けられるようにされており、前記段付きボルトの頭部とねじ部との間の段部が面取りされるとともに、前記連結用孔部が、前記段付きボルトの段部が嵌合する形状に形成されていることを第１０の特徴とする。
【００２８】
かかる第１０の特徴によれば、段付きボルトの面取りされた段部を連結用孔部に嵌合させることによってそのボルトの回り止めがなされるようになるので、受け座金と押さえ座金との締め付けにはナットを回転させるのみでよくなり、その締め付け作業が容易となる。しかも、その場合には、ワッシャを用いる必要もないので、部品点数を減らすことができる。
【００２９】
【発明の実施の形態】
以下、本発明の実施の形態を、添付図面に示す本発明の実施例に基づいて説明する。
【００３０】
図中、図１〜１８は本発明によるワイヤロープ締結金具の実施例を示すもので、図１はそのワイヤロープ締結金具を用いて落石防止工法を施工した状態を示す平面図、図２は図１の２−２線に沿う断面図、図３は図２の矢印３方向から見たクロスアンカークリップ部分の拡大平面図、図４は図３の４−４線に沿う断面図、図５はそのクロスアンカークリップの分解斜視図、図６は図４の６−６線に沿う断面図、図７は図５の矢印７方向から見た受け座金の平面図、図８は図５の矢印８方向から見た押さえ座金の底面図、図９は図７の９−９線に沿う断面図、図１０はクロスアンカークリップの異なる実施例を示す図４と同様の断面図、図１１は図１０の１１−１１線方向から見たクロスアンカークリップの一部切り欠き平面図、図１２は図２の矢印１２方向から見たクロスクリップ部分の拡大平面図、図１３は図１２の１３−１３線に沿う断面図、図１４は図１２の１４−１４線に沿う断面図、図１５は図１３の１５−１５線方向から見た受け座金の平面図、図１６は図１３の１６−１６線方向から見た押さえ座金の底面図、図１７は図１５の１７−１７線に沿う断面図、図１８は図１３の１８−１８線方向から見たクロスクリップの一部切り欠き底面図である。
【００３１】
図１及び２において、落石や崩壊が生ずるおそれのある傾斜した地面１０には、その表面に、多数のワイヤロープ１１，１１…；１２，１２…が縦横に張り巡らされる。各ワイヤロープ１１，１１…；１２，１２…は、数本おきに、その両端部が主アンカー１３，１３によって岩盤に固定される。また、その主アンカー１３によって固定された縦方向のワイヤロープ１１と横方向のワイヤロープ１２とは、その交差部において、クロスアンカークリップ１４により、相互に固定されるとともに地面１０にも固定される。一方、他のワイヤロープ１１，１１…；１２，１２…は、各交差部において、クロスクリップ１５，１５…により相互に固定される。これによって、縦横のワイヤロープ１１，１１…；１２，１２…からなるネットが形成され、浮き石が押さえ込まれて、落石や崩壊が防止される。ここで用いられるクロスアンカークリップ１４及びクロスクリップ１５が、本発明によるワイヤロープ締結金具の一例である。
【００３２】
図３〜８に示すように、クロスアンカークリップ１４は、受け座金１６と押さえ座金１７とにより構成されている。これら受け座金１６及び押さえ座金１７は鋳造によって成形された板状のもので、その間に縦方向のワイヤロープ１１と横方向のワイヤロープ１２との交差部を挟んで、互いに向かい合わせて重ねるようにして組み付けられる。
【００３３】
受け座金１６及び押さえ座金１７の一端部には連結用孔部１８，１９が、また、その反対側端部にはアンカー用孔部２０，２１が、それぞれ設けられている。それらの孔部１８，１９及び２０，２１は、特に図７及び８から明らかなように小判形とされ、しかも、いずれも同一形状とされている。図４及び５に示すように、連結用孔部１８，１９には、段付きボルト２２が受け座金１６側から挿通され、その段付きボルト２２に、押さえ座金１７側から六角ナット２３が螺合される。段付きボルト２２は、頭部２２ａとねじ部２２ｂとの間に段部２２ｃを有するもので、その段部２２ｃの断面は孔部１８，１９；２０，２１と同様の小判形で、それらの孔部１８，１９；２０，２１に嵌合し得るようにされている。こうして、図６に示すように、段付きボルト２２の段部２２ｃを受け座金１６の連結用孔部１８に嵌合させることにより、その段付きボルト２２の回り止めがなされるようになっている。
【００３４】
また、アンカー用孔部２０，２１には、下端部が地中に深く挿入されて地面１０に固定されたアンカーボルト２４の上端部が挿通され、そのアンカーボルト２４にナット２５が螺合される。このようにして、ナット２３，２５をそれぞれ締め付けることによって受け座金１６と押さえ座金１７とが互いに締め付けられ、ワイヤロープ１１，１２の交差部が両面側から挟み付けられるようになっている。その場合、孔部１８，１９；２０，２１が小判形とされているので、段付きボルト２２及びアンカーボルト２４と受け座金１６及び押さえ座金１７との間には比較的大きい隙間が生じることになるが、ナット２３，２５をきつく締め付けることによって、それらがずれることは防止される。
【００３５】
図７に示すように、受け座金１６には、その押さえ座金１７に対向する面１６ａに、縦方向のワイヤロープ１１を通す第１のロープ溝２６が設けられている。そのロープ溝２６は、受け座金１６の中心Ｏを通り、孔部１８，２０の中心を結ぶ直線に対してほぼ４５°の角度をなす方向に延びるものとされている。また、その受け座金１６の対向面１６ａには、ロープ溝２６の両側に、押さえ座金１７側に向かって突出する突起部２７，２７が設けられている。各突起部２７，２７は、受け座金１６の中心Ｏに関して対称な形状で、孔部１８．２０の中心を結ぶ直線に平行な辺とその辺に直交する辺とを有し、その表面は平面とされている。そして、その突起部２７の表面に、横方向のワイヤロープ１２を通す第２のロープ溝２８が、第１のロープ溝２６に対して直交する方向に設けられている。
【００３６】
一方、図８に示すように、押さえ座金１７には、その受け座金１６に対向する面１７ａに、横方向のワイヤロープ１２を通す第１のロープ溝２９が設けられている。そのロープ溝２９は、押さえ座金１７の中心Ｏ′を通り、孔部１９，２１の中心を結ぶ直線に対してほぼ４５°の角度をなす方向に延びるものとされている。また、その押さえ座金１７の対向面１７ａには、ロープ溝２９の両側に、受け座金１６側に向かって突出する突起部３０，３０が設けられている。各突起部３０，３０は、押さえ座金１７の中心Ｏ′に関して対称な形状で、孔部１９，２１の中心を結ぶ直線に平行な辺とその辺に直交する辺とを有し、その表面は平面とされている。そして、その突起部３０の表面に、縦方向のワイヤロープ１１を通す第２のロープ溝３１が、第１のロープ溝２９に対して直交する方向に設けられている。
【００３７】
このようにして、受け座金１６と押さえ座金１７とを互いに向かい合わせて重ねたときには、それら受け座金１６の第１のロープ溝２６と押さえ座金１７の第２のロープ溝３１との間に縦方向のワイヤロープ１１が挟まれるとともに、押さえ座金１７の第１のロープ溝２９と受け座金１６の第２のロープ溝２８との間に横方向のワイヤロープ１２が挟まれて、受け座金１６及び押さえ座金１７の中心Ｏ，Ｏ′部分において各ワイヤロープ１１，１２が交差するようになっている。また、そのときには、受け座金１６の突起部２７，２７と押さえ座金１７の突起部３０，３０とがそれぞれ係合するようになっている。
【００３８】
ここで用いられているワイヤロープ１１，１２は、いずれも、数本〜数１０本の素線を撚り合わせて形成されたストランドｓを、３本、撚り合わせたものである。受け座金１６の第１のロープ溝２６及び押さえ座金１７の第１のロープ溝２９には、その長手方向の中央部、すなわち受け座金１６及び押さえ座金１７の中心Ｏ，Ｏ′部分に、各ロープ溝２６，２９の内側面から突出する突出部２６ａ，２９ａがそれぞれ設けられている。図９に示すように、その突出部２６ａ，２９ａは、ロープ溝２６，２９の底部に向かうに従って突出量が大きくなるように傾斜したものとされている。したがって、ロープ溝２６，２９の底部では、その溝幅が狭くなる。その結果、各ワイヤロープ１１，１２を第１のロープ溝２６，２９にそれぞれ嵌め込むと、受け座金１６及び押さえ座金１７の中心Ｏ，Ｏ′部分では、各突出部２６ａ，２９ａのくさび効果により、各ワイヤロープ１１，１２は１本のストランドｓが溝底部側に位置する逆三角形となる。すなわち、縦方向及び横方向のワイヤロープ１１，１２の交差位置では、各ワイヤロープ１１，１２がそれぞれ２本のストランドｓ，ｓ；ｓ，ｓを介して互いに接触することになる。
【００３９】
このような構成を有する受け座金１６と押さえ座金１７とは、全く同一の形状とされている。
【００４０】
図１０及び１１は、クロスアンカークリップ１４の異なる実施例を示すものである。この実施例は、上記実施例とはボルト・ナットの回り止めの構成が異なるのみで、他の構成は上記実施例と同様であるので、対応する部分には同一の符号を付すことにより、重複する説明は省略する。
【００４１】
この実施例の場合には、受け座金１６と押さえ座金１７とを締め付けるボルトとして、通常の六角ボルト３２が用いられている。受け座金１６及び押さえ座金１７に設けられる連結用孔部１８，１９及びアンカー用孔部２０，２１は、いずれも同径の円形孔とされている。そして、受け座金１６及び押さえ座金１７の外表面１６ｂ，１７ｂには、孔部１８，１９；２０，２１の周囲に、六角ナット２３あるいは六角ボルト３２の頭部３２ａと係合する六角溝３３，３３…が形成されている。
【００４２】
このような構成を有するクロスアンカークリップ１４において、受け座金１６と押さえ座金１７とを締め付けるときには、六角ナット２３あるいは六角ボルト３２の頭部３２ａを（図示実施例の場合は六角ボルト３２の頭部３２ａを）、連結用孔部１８あるいは１９の周囲に形成されている六角溝３３に嵌合させた状態で、それらのボルト３２とナット２３とを螺合させ、六角溝３３に係合していない側を回転させればよい。その場合、回転させるボルト３２あるいはナット２３側には、六角溝３３より径の大きいワッシャ３４を介在させる。また、アンカーボルト２４には、同様なワッシャ３４を介在させた状態でナット２５を螺合させる。このようにして、この実施例の場合にも、ボルト・ナットの一方を回転させるだけで、受け座金１６と押さえ座金１７とを締め付けることができる。
【００４３】
次に、図１２〜１８によりクロスクリップ１５について説明する。
【００４４】
これらの図に示すように、クロスクリップ１５も、受け座金３５と押さえ座金３６とにより構成されている。これら受け座金３５及び押さえ座金３６は鋳造によって成形された角柱状のもので、その間に縦方向のワイヤロープ１１と横方向のワイヤロープ１２との交差部を挟んで互いに重ね合わせるようにして組み付けられる。
【００４５】
受け座金３５及び押さえ座金３６の一端部には連結用孔部３７，３８が設けられている。また、受け座金３５の反対側端部には、押さえ座金３６に対向する面３５ａから上方に突出する鉤状の係合部３９が設けられている。一方、押さえ座金３６の反対側端部には、その係合部３９に係合する爪状の係合部４０が設けられている。こうして、図１３に示すように、受け座金３５の係合部３９と押さえ座金３６の係合部４０とを互いに係合させるとともに、受け座金３５及び押さえ座金３６の連結用孔部３７，３８に受け座金３５側から挿通した六角ボルト４１に、押さえ座金３６側から六角ナット４２を螺合し、その六角ナット４２を締め付けることによって、受け座金３５と押さえ座金３６とが互いに締め付けられ、ワイヤロープ１１，１２の交差部が両面側から挟み付けられるようになっている。この場合にも、六角ボルト４１の回り止めのために、受け座金３５の外表面３５ｂにはその六角ボルト４１が嵌合する六角溝４３が形成されている（図１８参照）。
【００４６】
図１５に示すように、受け座金３５には、その押さえ座金３６に対向する面３５ａに、縦方向のワイヤロープ１１を通す第１のロープ溝４４が設けられている。そのロープ溝４４は、受け座金３５の中心Ｐを通り、受け座金３５の長手方向に対してほぼ４５°の角度をなす方向に延びるものとされている。さらに、その受け座金３５の対向面３５ａには、横方向のワイヤロープ１２を通す第２のロープ溝４５が、第１のロープ溝４４に対して直交する方向に設けられている。図１４に示すように、第１のロープ溝４４の深さは、ワイヤロープ１１の直径よりも十分に大きくされている。一方、第２のロープ溝４５の深さは、ワイヤロープ１２の半径よりも小さいものとされている。したがって、第１のロープ溝４４と第２のロープ溝４５とは、互いに段差を持って交差するようになっている。
【００４７】
第１のロープ溝４４には、その長手方向の中央部、すなわち受け座金３５の中心Ｐ部分に、そのロープ溝４４の内側面から突出する突出部４４ａが設けられている。図１７に示すように、その突出部４４ａは、ロープ溝４４の底部に向かうに従って突出量が大きくなるように傾斜したものとされている。したがって、ロープ溝４４の底部ではその溝幅が狭くなる。その結果、ワイヤロープ１１を第１のロープ溝４４に嵌め込むと、受け座金３５の中心Ｐ部分では、ワイヤロープ１１は１本のストランドｓが溝底部側に位置する逆三角形となる。
【００４８】
また、図１６に示すように、押さえ座金３６には、受け座金３５に対向する面３６ａに、横方向のワイヤロープ１２を通す第１のロープ溝４６が設けられている。そのロープ溝４６は、押さえ座金３６の中心Ｐ′を通り、押さえ座金３６の長手方向に対してほぼ４５°の角度をなす方向に延びるものとされている。さらに、その押さえ座金３６の対向面３６ａには、ロープ溝４６の両側に、受け座金３５側に向かって突出し、ロープ溝４６に直交する方向に延びる突起４７，４７が設けられている。その突起４７の幅は、受け座金３５に設けられている第１のロープ溝４４に嵌まり込む大きさとされている。
【００４９】
押さえ座金３６に設けられるロープ溝４６にも、その長手方向の中央部、すなわち押さえ座金３６の中心Ｐ′部分に、そのロープ溝４６の内側面から突出する突出部４６ａが設けられている。そして、その突出部４６ａにより、ロープ溝４６の溝幅が、押さえ座金３６の中心Ｐ′部分ではワイヤロープ１２の１本のストランドｓが通るだけの大きさとなるようにされている。
【００５０】
このようにして、縦方向及び横方向のワイヤロープ１１，１２を、各座金３５，３６のロープ溝４４，４５；４６にそれぞれ嵌め込むと、図１４に示すように、それらのワイヤロープ１１，１２の交差位置、すなわち受け座金３５及び押さえ座金３６の中心Ｐ，Ｐ′部分では、各ワイヤロープ１１，１２がそれぞれ２本のストランドｓ，ｓ；ｓ，ｓを介して互いに接触するようにされている。そして、その状態で受け座金３５と押さえ座金３６とを互いに向かい合わせて重ねたときには、図１４に示すように、受け座金３５の第１のロープ溝４４に押さえ座金３６の突起４７が挿入され、それらロープ溝４４と突起４７との間に縦方向のワイヤロープ１１が挟まれるとともに、押さえ座金３６の第１のロープ溝４６と受け座金３５の第２のロープ溝４５との間に横方向のワイヤロープ１２が挟まれるようになっている。
【００５１】
次に、このように構成されたワイヤロープ締結金具、すなわちクロスアンカークリップ１４及びクロスクリップ１５の作用について説明する。
【００５２】
クロスアンカークリップ１４によりワイヤロープ１１，１２の交差部を固定するときには、まず、地面１０に固定されているアンカーボルト２４の上端部に受け座金１６のアンカー用孔部２０を挿通させる。そして、その受け座金１６に設けられている第１のロープ溝２６に縦方向のワイヤロープ１１を沿わせ、そのロープ溝２６の底部に向かって押し込む。すると、そのロープ溝２６に設けられている突出部２６ａのくさび効果により、前述したように、ワイヤロープ１１が回転して、受け座金１６の中心Ｏ部分では３本のストランドｓ，ｓ…が逆三角形の頂点に配置された状態となる。また、そのときには、ワイヤロープ１１に、図７に仮想線で示すように、くの字形に屈曲させようとする力が加わる。
【００５３】
その状態で、第２のロープ溝２８に横方向のワイヤロープ１２を沿わせる。次いで、その上に押さえ座金１７を重ねる。すると、受け座金１６及び押さえ座金１７にそれぞれ設けられている突起部２７，２７；３０，３０が互いに係合することにより、押さえ座金１７の受け座金１６に対する位置決めがなされる。そのようにして押さえ座金１７の受け座金１６に対する位置決めが行われると、受け座金１６の中心Ｏと押さえ座金１７の中心Ｏ′とが一致し、ワイヤロープ１１，１２は、その中心部分Ｏ，Ｏ′部分で交差することになる。そこで、アンカーボルト２４に押さえ座金１７のアンカー用孔部２１を挿通させるとともに、受け座金１６及び押さえ座金１７の連結用孔部１８，１９に段付きボルト２２あるいは六角ボルト３２を挿通する。そして、その段付きボルト２２あるいは六角ボルト３２及びアンカーボルト２４にそれぞれナット２３，２５を螺合して、それらを締め付ける。その場合、前述したようにボルト２２，３２あるいはナット２３の回り止めがなされるようにされているので、その締め付け作業は容易である。そして、その締め付けによって、ワイヤロープ１１，１２の交差部が受け座金１６と押さえ座金１７とにより両面側から挟み付けられる。
【００５４】
このようにして受け座金１６と押さえ座金１７とを締め付けると、押さえ座金１７の第１のロープ溝２９に設けられている突出部２９ａのくさび効果により、横方向のワイヤロープ１２が回転して、押さえ座金１７の中心Ｏ′部分では３本のストランドｓ，ｓ…が正三角形の頂点に配置された状態となる。したがって、縦方向のワイヤロープ１１と横方向のワイヤロープ１２とは、その交差位置においてそれぞれ２本のストランドｓ，ｓ；ｓ，ｓを介して互いに接触することになる。また、そのときには、ワイヤロープ１２にも、くの字形に屈曲させようとする力が加わる。
【００５５】
この状態で、各ワイヤロープ１１，１２に張力を加えると、それらのワイヤロープ１１，１２が、くの字形に屈曲させようとする力に抗して直線状となるので、第１のロープ溝２６，２９にそれぞれ設けられている突出部２６ａ及び２９ａに強く押し当てられ、その突出部２６ａ及び２９ａがワイヤロープ１１，１２にそれぞれ食い込むことになる。その結果、各ワイヤロープ１１，１２の撚りが伸びてそれらのワイヤロープ１１，１２が細く変形したとしても、その回転や滑りが防止され、ワイヤロープ１１，１２はその位置で確実に固定保持されるようになる。
【００５６】
また、受け座金１６及び押さえ座金１７がアンカーボルト２４に固定されるので、それらの座金１６，１７に挟まれて相互に固定されたワイヤロープ１１，１２は地面１０に対しても固定されることになる。
【００５７】
そして、このようにワイヤロープ１１，１２は受け座金１６及び押さえ座金１７とによって保持固定されるので、ワイヤロープ１１，１２同士を強く押し付け合う必要がない。また、ワイヤロープ１１，１２は、いずれも湾曲させることなくほぼ直線状に保たれる。したがって、ワイヤロープ１１，１２の素線の断線等による損傷が防止される。しかも、各ワイヤロープ１１，１２は、交差位置において２本のストランドｓ，ｓを介して互いに接触するようにされているので、受け座金１６及び押さえ座金１７により両面側からワイヤロープ１１，１２に伝えられる締め付け力は、その２本のストランドｓ，ｓに分散することになる。その結果、各ワイヤロープ１１，１２に無理な力が加わることが防止され、ワイヤロープ１１，１２の早期損傷が防止される。さらに、受け座金１６及び押さえ座金１７にはその対向面１６ａ，１７ａから突出する突起部２７，３０が、ワイヤロープを押さ付けるためワイヤロープの保持固定が安定する。
設けられているので、受け座金１６と押さえ座金１７とを誤って過大な力で締め付けたとしても、その突起部２７，３０が対向する座金１７，１６に当接することによってそれ以上の締め付けが阻止される。それによって、ワイヤロープ１１，１２同士の無理な接触が防止され、その損傷が防止される。
【００５８】
また、受け座金１６及び押さえ座金１７に設けられている突起部２７，３０が互いに係合するようにされているので、それらの座金１６，１７の組み付け時における位置合わせが容易となるとともに、受け座金１６と押さえ座金１７との相対回転やずれが防止され、ワイヤロープ１１，１２の交差部が確実に安定して保持固定されるようになる。
【００５９】
さらに、受け座金１６と押さえ座金１７とが互いに同一形状とされているので、その成形のための型は一つでよくなり、製造コストを低減させることができる。また、組み付け時に受け座金１６と押さえ座金１７とを区別する必要がなくなるので、その組み付け作業がより容易となる。
【００６０】
次に、クロスクリップ１５によりワイヤロープ１１，１２の交差部を固定するときには、まず、ワイヤロープ１１，１２の交差部の下方に受け座金３５を位置させ、その受け座金３５に設けられている第１のロープ溝４４に縦方向のワイヤロープ１１を嵌め込むとともに、第２のロープ溝４５に横方向のワイヤロープ１２を沿わせる。次いで、その上に押さえ座金３６を重ね、受け座金３５の係合部３９に押さえ座金３６の係合部４０を係合させるとともに、受け座金３５及び押さえ座金３６の連結用孔部３７，３８にボルト４１を挿通して、そのボルト４１に六角ナット４２を螺合させる。そのようにして押さえ座金３６の受け座金３５に対する位置決めを行うと、受け座金３５の中心Ｐと押さえ座金３６の中心Ｐ′とが一致し、ワイヤロープ１１，１２はその中心Ｐ，Ｐ′部分で交差することになる。そこで、その状態で六角ボルトナット４２を締め付ける。その場合にも、六角ボルト４１が六角溝４３に係合することによってそのボルト４１の回り止めがなされるので、その締め付け作業は容易である。
【００６１】
このようにして受け座金３５と押さえ座金３６とを互いに締め付けると、クロスアンカークリップ１４の場合と同様に、各ワイヤロープ１１，１２は、その交差位置においてそれぞれ２本のストランドｓ，ｓ；ｓ，ｓを介して互いに接触することになる。また、そのときには、ワイヤロープ１１，１２に、くの字形に屈曲させようとする力が加わる。したがって、その状態でワイヤロープ１１，１２に張力を加えると、第１のロープ溝４４，４６に設けられている突出部４４ａ，４６ａがワイヤロープ１１，１２にそれぞれ食い込み、各ワイヤロープ１１，１２はその位置で確実に固定保持される。
【００６２】
また、押さえ座金３６の対向面３６ａに設けられている突起４７が受け座金３５の対向面３５に設けられている第１のロープ溝４４に嵌まり込み、そのロープ溝４４内に通されている縦方向のワイヤロープ１１が押さえ座金３６の突起４７によって押さえ付けられるようになるので、縦方向のワイヤロープ１１は受け座金３５の第１のロープ溝４４の内面に押し付けられる。また、横方向のワイヤロープ１２は、受け座金３５に設けられている第２のロープ溝４５の内面と押さえ座金３６に設けられている第１のロープ溝４６の内面との間で挟み付けられる。したがって、それらのワイヤロープ１１，１２は確実に保持され、その回転や滑りが防止される。
【００６３】
このようにして、ワイヤロープ１１，１２の交差部は、受け座金３５と押さえ座金３６とにより両面側から挟み付けられ、それによって各ワイヤロープ１１，１２が相互に保持固定される。
【００６４】
そして、このクロスクリップ１５においても、クロスアンカークリップ１４の場合と同様に、ワイヤロープ１１，１２同士を強く押し付け合う必要がなく、また、ワイヤロープ１１，１２は、いずれも湾曲させることなくほぼ直線状に保たれるので、ワイヤロープ１１，１２の素線の断線等による損傷が防止される。しかも、各ワイヤロープ１１，１２は、交差位置において２本のストランドｓ，ｓを介して互いに接触するようにされているので、各ワイヤロープ１１，１２に無理な力が加わることが防止され、ワイヤロープ１１，１２の早期損傷が防止される。
【００６５】
また、組み付け時、押さえ座金３６に設けられている突起４７が受け座金３５に設けられている第１のロープ溝４４に挿入されるようにされているので、それらの座金３５，３６の組み付け時における位置合わせが容易となるとともに、突起４７と第１のロープ溝４４との係合によって受け座金３５と押さえ座金３６との相対回転やずれが防止され、ワイヤロープ１１，１２の交差部が確実に安定して保持固定されるようになる。
【００６６】
さらに、受け座金３５及び押さえ座金３６の一方側の端部は、単に係合部３９，４０を係合させるのみで連結されるようにされているので、クロスクリップ１５の組み付け時におけるねじ部材の締め付け作業を減らすことができる。したがって、その組み付け作業が容易となる。
【００６７】
以上、本発明の好適実施例について説明したが、本発明はその実施例に限定されることなく、本発明の範囲内で種々の実施例が可能である。
【００６８】
例えば、ワイヤロープ１１，１２が９０°以外の角度で交差する場合にも、本発明を適用することができる。その場合には、受け座金１６，３５及び押さえ座金１７，３６に設けられるロープ溝２６，２８…がなす角度を、ワイヤロープ１１，１２の交差角度に応じて変えればよい。また、使用されるワイヤロープ１１，１２は３ストランドのものとは限らず、６ストランドや８ストランドのものが使用される場合にも、本発明を適用することができる。その場合には、そのストランド数に応じて、第１のロープ溝２６，２９…に形成される突出部２６ａ，２９ａ…の形状を変えればよい。さらに、クロスクリップ１５の受け座金３５と押さえ座金３６とは、その一部の構成、例えば係合部３９，４０やロープ溝４４と突起４７などを、反対側に設けるようにすることもできる。
【００６９】
さらにまた、受け座金１６，３５と押さえ座金１７，３６との締め付けに段付きボルト２２を用いる場合、その段付きボルト２２の段部２２ｃ及びそれが挿通される連結用孔部１８，１９を、上記実施例のように小判形とするほか、多角形や楕円形など、種々の形状とすることができる。要はボルト２２の回転が阻止されるようになっていればよく、円の一部を面取りした形状でありさえすればよい。
【００７０】
【発明の効果】
以上のように、本請求項１記載の発明によれば、ワイヤロープを通すロープ溝に、その内側面から突出する突出部を形成するようにしているので、ワイヤロープに張力がかかったとき、その突出部がワイヤロープに食い込むようになり、そのワイヤロープが安定して保持固定される。その結果、ワイヤロープに無理な力を加える必要がなくなるので、ワイヤロープの損傷を防止することができる。
【００７１】
また、本請求項２記載の発明によれば、受け座金及び押さえ座金の各対向面に突起部を設けるようにしているので、ワイヤロープに無理な力が加えられるおそれがなくなり、ワイヤロープの損傷をより確実に防止することができる。
【００７２】
さらに、本請求項３記載の発明によれば、受け座金及び押さえ座金の各対向面に設けられる突起部が互いに係合するので、受け座金と押さえ座金との相対回転やずれが防止されるようになる。したがって、組み付け時における受け座金と押さえ座金との位置決め作業を容易化するとともに、ワイヤロープ交差部の保持固定をより確実なものとすることができる。
【００７３】
さらにまた、本請求項４記載の発明によれば、突起部の表面にもロープ溝を設けるようにしているので、交差するワイヤロープを、それぞれ受け座金と押さえ座金との両方によって挟み付けることができる。したがって、ワイヤロープの保持固定をより安定化することができる。
【００７４】
また、本請求項５記載の発明によれば、受け座金及び押さえ座金をアンカーボルトに固定することが可能となるので、交差するワイヤロープを相互に固定するのみでなく、その交差部を地面に対しても固定することが可能となる。
【００７５】
さらに、本請求項６記載の発明によれば、受け座金と押さえ座金とを互いに同一形状のものとしているので、その製造コストを低減させるとともに、組み付け作業性を向上させることができる。
【００７６】
そして、本請求項７記載の発明によれば、受け座金及び押さえ座金の一方側の端部に、それら受け座金及び押さえ座金を互いに係合させる係合部を設けるようにしているので、受け座金と押さえ座金とを組み付けるとき、その一方側の端部は単に係合させるのみでよくなり、その組み付け作業を容易化することができる。
【００７７】
また、本請求項８記載の発明によれば、受け座金と押さえ座金とのいずれか一方に、ワイヤロープの他方を通す第２のロープ溝を設けるとともに、受け座金と押さえ座金との他方に、第１のロープ溝に挿入される突起を設けているので、交差するワイヤロープのいずれもが、受け座金と押さえ座金との両方によって挟み付けられるようになり、各ワイヤロープの保持固定をより安定化させることができるとともに、突起と第１のロープ溝との係合によって受け座金と押さえ座金との相対回転やずれが防止されるようになるので、ワイヤロープ交差部の保持固定もより確実化することができる。
【００７８】
さらに、本請求項９記載の発明によれば、受け座金及び押さえ座金の少なくとも一方の外表面の、連結用孔部の周囲に、受け座金と押さえ座金とを締め付ける六角ボルト及び六角ナットのいずれか一方と係合する六角溝を形成するようにしているので、その六角溝がボルトあるいはナットの回り止めとなる。したがって、その締め付け作業を容易化することができる。
【００７９】
さらにまた、本請求項１０記載の発明によれば、受け座金と押さえ座金との締め付けに、段部が面取りされた段付きボルトを用いるとともに、そのボルトが挿通される連結用孔部を、前記段付きボルトの段部が嵌合する形状に形成するようにしているので、そのボルトの回り止めがなされるようになり、受け座金と押さえ座金との締め付けにはナットを回転させるのみでよくなる。したがって、その締め付け作業が容易化することができる。しかも、その場合には、ワッシャを用いる必要もないので、部品点数の増加を防止することができる。
【図面の簡単な説明】
【図１】本発明によるワイヤロープ締結金具を用いて落石防止工法を施工した状態を示す平面図
【図２】図１の２−２線に沿う断面図
【図３】図２の矢印３方向から見たクロスアンカークリップ部分の拡大平面図
【図４】図３の４−４線に沿う断面図
【図５】図３及び図４に示すクロスアンカークリップの分解斜視図
【図６】図４の６−６線に沿う断面図
【図７】図５の矢印７方向から見た受け座金の平面図
【図８】図５の矢印８方向から見た押さえ座金の底面図
【図９】図７の９−９線に沿う断面図
【図１０】クロスアンカークリップの異なる実施例を示す図４と同様の断面図
【図１１】図１０の１１−１１線方向から見たクロスアンカークリップの一部切り欠き平面図
【図１２】図２の矢印１２方向から見たクロスクリップ部分の拡大平面図
【図１３】図１２の１３−１３線に沿う断面図
【図１４】図１２の１４−１４線に沿う断面図
【図１５】図１３の１５−１５線方向から見た受け座金の平面図
【図１６】図１３の１６−１６線方向から見た押さえ座金の底面図
【図１７】図１５の１７−１７線に沿う断面図
【図１８】図１３の１８−１８線方向から見たクロスクリップの一部切り欠き底面図
【図１９】従来のワイヤロープ締結金具の一例としてのクロスクリップを示すもので、（ａ）は平面図、（ｂ）は（ａ）のｂ−ｂ線方向から見た側面図である。
【符号の説明】
１１  縦方向のワイヤロープ
１２  横方向のワイヤロープ
１４  クロスアンカークリップ（ワイヤロープ締結金具）
１５  クロスクリップ（ワイヤロープ締結金具）
１６  受け座金                １６ａ  対向面        １６ｂ  外表面
１７  押さえ座金              １７ａ  対向面        １７ｂ  外表面
１８  連結用孔部
１９  連結用孔部
２０  アンカー用孔部
２１  アンカー用孔部
２２  段付きボルト
２２ａ  頭部        ２２ｂ  ねじ部      ２２ｃ  段部
２３  六角ナット
２６  第１のロープ溝          ２６ａ  突出部
２７  突起部
２８  第２のロープ溝
２９  第１のロープ溝          ２９ａ  突出部
３０  突起部
３１  第２のロープ溝
３２  六角ボルト              ３２ａ  頭部
３３  六角溝
３４  ワッシャ
３５  受け座金                ３５ａ  対向面        ３５ｂ  外表面
３６  押さえ座金              ３６ａ  対向面
３７  連結用孔部
３８  連結用孔部
３９  係合部
４０  係合部
４１  六角ボルト
４２  六角ナット
４３  六角溝
４４  第１のロープ溝          ４４ａ  突出部
４５  第２のロープ溝
４６  第１のロープ溝          ４６ａ  突出部
４７  突起
【図１】
2005030039.tif 000003
【図２】
2005030039.tif 000004
【図３】
2005030039.tif 000005
【図４】
2005030039.tif 000006
【図５】
2005030039.tif 000007
【図６】
2005030039.tif 000008
【図７】
2005030039.tif 000009
【図８】
2005030039.tif 000010
【図９】
2005030039.tif 000011
【図１０】
2005030039.tif 000012
【図１１】
2005030039.tif 000013
【図１２】
2005030039.tif 000014
【図１３】
2005030039.tif 000015
【図１４】
2005030039.tif 000016
【図１５】
2005030039.tif 000017
【図１６】
2005030039.tif 000018
【図１７】
2005030039.tif 000019
【図１８】
2005030039.tif 000020
【図１９】
2005030039.tif 000021